(57)【要約】【課題】容易な操作でファイルを送信先に対して送信することが可能な情報端末を提供する。【解決手段】情報端末１では、画像と送信先との関連を待ち受けテーブル４１で記憶しており、操作部３０でファイルの送信を指示する操作を受け付けると、制御部１０は、その操作を受け付けた際に表示部２０に待ち受け画像として設定されている画像に関連付けられている送信先を、ファイルの送信先として特定して、当該ファイルを送信する処理を実行する。【選択図】図１
2012226509.tif 000002
【特許請求の範囲】
【請求項１】
ファイルを他の装置に対して送信可能な情報端末であって、
表示手段と、
画像と送信先との関連を記憶するための記憶手段と、
前記画像を前記表示手段の待ち受け画像として指定するための指定手段と、
前記ファイルの送信を指示する操作を受け付けるための操作手段と、
前記操作に従って前記ファイルを前記他の装置に対して送信する処理を実行するための処理手段とを備え、
前記処理手段は、前記操作手段で前記操作を受け付けた際の前記表示手段に待ち受け画像として設定されている画像に関連付けられている送信先を、前記ファイルの送信先として特定して前記ファイルを送信する処理を実行する、情報端末。
【請求項２】
前記画像と前記送信先との関連を設定するための設定手段をさらに備える、請求項１に記載の情報端末。
【請求項３】
前記ファイルを作成するための作成手段をさらに備え、
前記処理手段は、前記作成手段における前記ファイルの作成の完了時に前記表示手段に待ち受け画像として設定されている画像に関連付けられている送信先を前記ファイルの送信先として特定して、前記ファイルの作成が完了すると当該ファイルを前記送信先に送信する処理を実行する、請求項１または２に記載の情報端末。
【請求項４】
カメラをさらに備え、
前記作成手段は、前記カメラでの撮影で得られた撮影画像に基づいて前記ファイルを作成する、請求項３に記載の情報端末。
【請求項５】
ファイルを他の装置に対して送信可能な情報端末であって、
タッチパネルと、
前記タッチパネルの操作パターンと送信先との関連を記憶するための記憶手段と、
前記タッチパネルの操作に従って前記ファイルを前記他の装置に対して送信する処理を実行するための処理手段とを備え、
前記処理手段は、前記タッチパネルの操作パターンを特定し、当該操作パターンに関連付けられている送信先を、前記ファイルの送信先として特定して前記ファイルを送信する処理を実行する、情報端末。
【請求項６】
前記タッチパネルの操作は、前記タッチパネルに対して１以上の点をタッチした後、少なくともその内の１点について、タッチ状態を継続したまま連続的に位置を移動し、その後にタッチ状態を解除する操作であって、前記記憶手段に記憶される前記操作パターンは、前記１点についての前記タッチ状態を継続したままの移動される位置の軌跡である、請求項５に記載の情報端末。
【請求項７】
前記タッチパネルの操作は、少なくともある時点において前記タッチパネルに対して同時に複数の点をタッチする操作であって、前記記憶手段に記憶される前記操作パターンは、前記複数の点の位置関係である、請求項５に記載の情報端末。
【請求項８】
前記処理手段は、前記タッチパネルに表示され、前記タッチパネルの操作の対象となったアイコンで表わされるファイルを前記送信する処理の対象となるファイルと特定して前記送信する処理を実行する、請求項５〜７のいずれかに記載の情報端末。
【請求項９】
当該情報端末は、ヒトが携帯可能な端末である、請求項１〜８のいずれかに記載の情報端末。
【請求項１０】
情報端末にファイルの送信処理を実行させるためのプログラムであって、
前記情報端末は、表示手段と、画像と送信先との関連を記憶するための記憶手段とを含み、
前記ファイル送信の指示を受け付けるステップと、
前記指示を受け付けた際の前記表示手段に待ち受け画像として設定されている画像に関連付けられている送信先を、前記ファイルの送信先として特定するステップと、
前記ファイルを前記送信先に対して送信するステップとを前記情報端末に実行させる、送信プログラム。
【請求項１１】
情報端末にファイルの送信処理を実行させるためのプログラムであって、
前記情報端末は、タッチパネルと、前記タッチパネルの操作パターンと送信先との関連を記憶するための記憶手段とを含み、
前記タッチパネルに対する前記ファイル送信の指示を受け付けるステップと、
前記タッチパネルの操作パターンを特定し、当該操作パターンに関連付けられている送信先を、前記ファイルの送信先として特定するステップと、
前記ファイルを前記送信先に対して送信するステップとを前記情報端末に実行させる、送信プログラム。
【発明の詳細な説明】
【技術分野】
【０００１】
この発明は情報端末および送信プログラムに関し、特に、他の装置に対しファイルを送信する機能を有する情報端末および当該情報端末に送信処理を実行させるための送信プログラムに関する。
【背景技術】
【０００２】
携帯電話機やパーソナルコンピュータなどの情報端末において、ファイルを他の装置に対して送信するという使い方がなされる。
【０００３】
たとえば電子メールにファイルを添付して送信する場合、情報端末では、まずメーラと呼ばれるメール用のプログラムを起動して宛先をアドレス帳から選択し、送信する対象のファイルを特定した上で、送信操作を行なうことが一般的である。
【発明の概要】
【発明が解決しようとする課題】
【０００４】
しかしながら、上述のように、ファイルを送信する際の操作が煩雑であるという問題があった。特に、送信する頻度が高い送信先について、その都度、送信先を選択したり、入力したりする操作を行なうことは煩雑であるという問題があった。
【０００５】
本発明はこのような問題に鑑みてなされたものであって、容易な操作でファイルを送信先に対して送信することが可能な情報端末および情報端末にこのような送信処理を実行させるための送信プログラムを提供することを目的としている。
【課題を解決するための手段】
【０００６】
上記目的を達成するために、本発明のある局面に従うと、情報端末はファイルを他の装置に対して送信可能な情報端末であって、表示手段と、画像と送信先との関連を記憶するための記憶手段と、記憶されている画像を表示手段の待ち受け画像として指定するための指定手段と、ファイルの送信を指示する操作を受け付けるための操作手段と、操作に従ってファイルを他の装置に対して送信する処理を実行するための処理手段とを備える。処理手段は、操作手段でファイルの送信を指示する操作を受け付けた際の表示手段に待ち受け画像として設定されている画像に関連付けられている送信先を、ファイルの送信先として特定して、当該ファイルを送信する処理を実行する。
【０００７】
好ましくは、情報端末は画像と送信先との関連を設定するための設定手段をさらに備える。
【０００８】
好ましくは、情報端末はファイルを作成するための作成手段をさらに備え、処理手段は、作成手段におけるファイルの作成の完了時に表示手段に待ち受け画像として設定されている画像に関連付けられている送信先をファイルの送信先として特定して、ファイルの作成が完了すると当該ファイルを送信先に送信する処理を実行する。
【０００９】
より好ましくは、情報端末はカメラをさらに備え、作成手段は、カメラでの撮影で得られた撮影画像に基づいてファイルを作成する。
【００１０】
本発明の他の局面に従うと、情報端末はファイルを他の装置に対して送信可能な情報端末であって、タッチパネルと、タッチパネルの操作パターンと送信先との関連を記憶するための記憶手段と、タッチパネルの操作に従ってファイルを他の装置に対して送信する処理を実行するための処理手段とを備える。処理手段は、タッチパネルの操作パターンを特定し、当該操作パターンに関連付けられている送信先を、ファイルの送信先として特定してファイルを送信する処理を実行する。
【００１１】
好ましくは、タッチパネルの操作は、タッチパネルに対して１以上の点をタッチした後、少なくともその内の１点について、タッチ状態を継続したまま連続的に位置を移動し、その後にタッチ状態を解除する操作であって、記憶手段に記憶される操作パターンは、上記１点についてのタッチ状態を継続したままの移動される位置の軌跡である。
【００１２】
好ましくは、タッチパネルの操作は、少なくともある時点においてタッチパネルに対して同時に複数の点をタッチする操作であって、記憶手段に記憶される操作パターンは、複数の点の位置関係である。
【００１３】
好ましくは、処理手段は、タッチパネルに表示され、タッチパネルの操作の対象となったアイコンで表わされるファイルを送信する処理の対象となるファイルと特定して送信する処理を実行する。
【００１４】
好ましくは、当該情報端末は、ヒトが携帯可能な端末である。
本発明のさらに他の局面に従うと、送信プログラムは、表示手段と、画像と送信先との関連を記憶するための記憶手段とを含んだ情報端末に、ファイルの送信処理を実行させるためのプログラムであって、ファイル送信の指示を受け付けるステップと、指示を受け付けた際の表示手段に待ち受け画像として設定されている画像に関連付けられている送信先を、ファイルの送信先として特定するステップと、ファイルを送信先に対して送信するステップとを情報端末に実行させる。
【００１５】
本発明のさらに他の局面に従うと、送信プログラムは、タッチパネルと、タッチパネルの操作パターンと送信先との関連を記憶するための記憶手段とを含んだ情報端末に、ファイルの送信処理を実行させるためのプログラムであって、タッチパネルに対するファイル送信の指示を受け付けるステップと、タッチパネルの操作パターンを特定し、当該操作パターンに関連付けられている送信先を、ファイルの送信先として特定するステップと、ファイルを送信先に対して送信するステップとを情報端末に実行させる。
【発明の効果】
【００１６】
この発明によると、容易な操作でファイルを送信先に対して送信することができる。
【図面の簡単な説明】
【００１７】
【図１】実施の形態にかかる情報端末の構成の具体例を示す図である。
【図２】第１の実施の形態にかかる情報端末の機能構成の具体例を示すブロック図である。
【図３】待ち受けテーブルに記憶されている、待ち受け画像とアドレスとの対応関係の具体例を示す図である。
【図４】第１の実施の形態にかかる情報端末におけるファイルの送信動作を表わすフローチャートである。
【図５】確認画面の具体例を示す図である。
【図６】第２の実施の形態にかかる情報端末が受け付けるゼスチャー操作の具体例を示す図である。
【図７】第２の実施の形態にかかる情報端末の機能構成の具体例を示すブロック図である。
【図８】ゼスチャテーブルに記憶されている、ゼスチャー操作とアドレスとの対応関係の具体例を示す図である。
【図９】第２の実施の形態にかかる情報端末におけるファイルの送信動作を表わすフローチャートである。
【図１０】変形例にかかるゼスチャーパターンの例を表わした図である。
【図１１】第２の実施の形態の変形例にかかる情報端末におけるファイルの送信動作を表わすフローチャートである。
【発明を実施するための形態】
【００１８】
以下に、図面を参照しつつ、本発明の実施の形態について説明する。以下の説明では、同一の部品および構成要素には同一の符号を付してある。それらの名称および機能も同じである。
【００１９】
＜装置構成＞
図１は、本実施の形態にかかる情報端末１の構成の具体例を示す図である。情報端末１は、少なくとも送信機能を備え、ヒトが手などの身体または衣服の一部に把持（装着）することで携帯可能なサイズ、重量の端末装置であればよい。たとえば、携帯電話機や携帯型のパーソナルコンピュータなどの装置が該当する。
【００２０】
図１を参照して、情報端末１は、装置全体を制御するための、図示しないＣＰＵを含む制御部１０と、表示部２０と、操作部３０と、記憶部４０と、他の装置と通信するための通信部５０とを含む。
【００２１】
記憶部４０は制御部１０のＣＰＵで実行されるプログラムを記憶する他、待ち受け画面に表示する画像（以下、待ち受け画像と称する）に関する情報を記憶するための待ち受けテーブル４１と、アドレス帳４２とを含む。
【００２２】
［第１の実施の形態］
＜動作概要＞
第１の実施の形態にかかる情報端末１では、待ち受け画像ごとに送信先のアドレスが対応付けられている。そして、ユーザが、待ち受け画面送信したいアドレスに対応した待ち受け画像が表示されている状態で送信指示を行なうことで、当該ファイルが当該待ち受け画像に対応したアドレスに対して送信される。
【００２３】
＜機能構成＞
図２は、第１の実施の形態にかかる情報端末１の機能構成の具体例を示すブロック図である。図２に示される各機能は、制御部１０に含まれる図示しないＣＰＵが記憶部４０に記憶されるプログラムを読み出して実行することで、主にＣＰＵに形成される。しかしながら、少なくとも一部の機能が図１に示されたハードウェア構成によって実現されてもよい。
【００２４】
図２を参照して、第１の実施の形態にかかる情報端末１は、操作部３０の操作に伴う操作信号の入力を操作部３０から受け付けるための入力部１０１と、操作信号が待ち受け画像とアドレスとの関連付けを指示するものである場合にその指示に従ってアドレス帳４２から読み出した対象のアドレスと指定された待ち受け画像との関連を待ち受けテーブル４１に記憶させることでこれらの関連を設定するための設定部１０２と、操作信号が待ち受け画面に表示させる待ち受け画像を指定するものである場合にその指示に従って待ち受け画像を指定するための指定部１０３と、待ち受け画面に表示させる待ち受け画像として設定された待ち受け画像を記憶するための待ち受け記憶部１０４と、操作信号がファイルの送信を指示するものである場合、送信対象であるファイルを特定すると共に、待ち受け記憶部１０４を参照し、現在設定されている待ち受け画像を特定してその待ち受け画像に対応付けられているアドレスを送信先として特定するための特定部１０５と、指定されたファイルを特定されたアドレスに宛てて送信するための送信部１０６とを含む。
【００２５】
図３は、待ち受けテーブル４１に記憶されている、待ち受け画像とアドレスとの対応関係の具体例を示す図である。図３を参照して、待ち受けテーブル４１には、待ち受け画像ごとにアドレスが関連付けられており、記憶されている。なお、図３の例では、１つの待ち受け画像に対して１つのアドレスが関連付けられている例が示されているが、１つの待ち受け画像に対して複数のアドレスが関連付けられていてもよい。また、複数の待ち受け画像に対して同じアドレスが関連付けられていてもよい。
【００２６】
＜動作フロー＞
図４は、第１の実施の形態にかかる情報端末１におけるファイルの送信動作を表わすフローチャートである。図４のフローチャートに表わされる動作は、情報端末１の図示しないＣＰＵが記憶部４０に記憶されるプログラムを読み出して実行し、図３に示される各部を機能させることで実現される。
【００２７】
図４を参照して、ＣＰＵは、操作部３０からファイルの送信を指示する操作信号の入力を受け付けると（ステップＳ１０でＹＥＳ）、ステップＳ２０で送信先を特定するための処理を実行する。
【００２８】
詳しくは、ステップＳ２０１でＣＰＵは、ファイル送信の指示があった時点で待ち受け画面に表示するものと設定されている待ち受け画像を特定し、ステップＳ２０２で待ち受けテーブル４１を参照して、当該待ち受け画像に対応付けられているアドレスを読み出す。そして、ステップＳ２０３で、読み出したアドレスを送信先のアドレスと特定する。
【００２９】
ステップＳ３０でＣＰＵは、送信のための処理を実行する。すなわち、ＣＰＵは、メール送信のためのプログラムを起動して送信先としてステップＳ２０で特定されたアドレスを書き込み、指定されたファイルを添付ファイルとして添付する。そして、当該メールを送信する。
【００３０】
＜実施の形態の効果＞
第１の実施の形態にかかる情報端末１で以上の処理が実行されることで、ユーザは、ファイルを送信したいアドレスに対応付けられた画像が待ち受け画像として待ち受け画面に表示されている状態で送信対象であるファイルを指定して送信の指示を行なうことで、そのアドレスをアドレス帳から読み出したり入力したりする操作を行なうことなく、容易な操作で意図した送信先に対して当該ファイルを送信することができる。
【００３１】
なお、以上の例では、送信の指示のみで自動的にファイルが送信されるものとしているが、上記ステップＳ２０でアドレスが特定された時点でたとえば図５に示されたような、待ち受け画像から特定される送信先を提示して、送信の可否を確認するメッセージを表示するようにしてもよい。確認画面は、一つの待ち受け画像に対して複数のアドレスが関連付けられている場合には、当該複数のアドレスを一度に表示して送信の可否を確認するものであってもよいし、１つのアドレスごとに送信の可否を確認するための確認画面を順次表示させるものであってもよい。このようにすることで、意図しない送信先にファイルが送信されることを防ぐことができる。
【００３２】
または、逆に、待ち受け画像が表示されている際に送信指示を受け付けることで特定されたファイルの送信まで完了するようにしてもよい。このようにすることで、確認画面を表示することなく送信先が画面表示されることなくファイルの送信が完了するため、たとえば画面を第三者にのぞき見られた場合であっても送信先を知られることがなく、送信先に関するセキュリティを確保することができる。
【００３３】
＜変形例＞
第１の実施の形態にかかる情報端末１において、上述のファイル送信の指示は、操作部３０での操作に替えて、ファイル作成の完了であってもよい。すなわち、ＣＰＵはファイル作成のためのアプリケーションの実行を監視して当該アプリケーションによってファイルの作成が完了したことが検知されると、その検知をファイル送信の指示として取り扱ってもよい。
【００３４】
たとえば、撮影画像のファイルを送信対象とする場合、情報端末１に搭載される図示しないカメラで撮影を行なって撮影アプリケーションでの処理に従って撮影画像が得られると、ＣＰＵは撮影画像の取得を検知して、当該撮影画像を含むファイルを、その完了時に待ち受け画像として設定されている画像に関連付けられたアドレスに送信する。
【００３５】
このような動作が実行されることで、ユーザは、送信したい相手に関連付けられた画像が待ち受け画像として表示されている状態でカメラで撮影したり、文書作成アプリケーションで作成した文書ファイルを保存または当該文書作成アプリケーションを終了したりするなどしてファイルを作成すると、当該ファイルが上記送信したい相手に自動的に送信されることになる。
【００３６】
［第２の実施の形態］
＜動作概要＞
第２の実施の形態にかかる情報端末１は表示部２０および操作部３０でタッチパネルを構成する。
【００３７】
第２の実施の形態にかかる情報端末１は、タッチパネルからのゼスチャー操作に基づいて送信対象のファイルおよび送信先を特定し、当該ファイルを当該送信先に対して送信する。
【００３８】
ここで、ゼスチャー操作とは、タッチパネルに対して１以上の点をタッチした後、少なくともその内の１点について、連続的に位置を移動させた後にタッチを解除する、という、一連の操作を指す。
【００３９】
図６は、第２の実施の形態にかかる情報端末１が受け付けるゼスチャー操作の具体例を示す図である。
【００４０】
図６（Ａ）は、第１のゼスチャー操作の例として、ファイルを表わすアイコンの表示の左側に１点のタッチを受け付けて、タッチ位置がその位置から連続して当該アイコンの右側まで直線的に連続して移動し、その後離す操作を表わしている。
【００４１】
図６（Ｂ）は、第２のゼスチャー操作の例として、ファイルを表わすアイコンの表示の右上に１点のタッチを受け付けて、タッチ位置がその位置から連続して当該アイコンの左下まで直線的に連続して移動し、その後離す操作を表わしている。
【００４２】
図６（Ｃ）は、第３のゼスチャー操作の例として、ファイルを表わすアイコンの表示の左側に１点のタッチを受け付けて、タッチ位置がその位置から連続して当該アイコンの上側を回って右側まで円弧状に連続して移動し、その後離す操作を表わしている。
【００４３】
このようなゼスチャー操作を受け付けることで、ゼスチャー操作の対象とされたアイコンで表わされたファイルが送信対象のファイルとして特定され、当該ゼスチャー操作で表わされた操作パターンに関連付けられているアドレスが送信先として特定される。
【００４４】
なお、ここでの操作パターン（ゼスチャーパターンとも称する）は、タッチパネルに対してタッチされた点のうちの連続的に位置が移動する少なくとも１点についての、その、連続的に移動する位置の軌跡を指す。
【００４５】
＜機能構成＞
図７は、第２の実施の形態にかかる情報端末１の機能構成の具体例を示すブロック図である。図７に示される各機能もまた、制御部１０に含まれる図示しないＣＰＵが記憶部４０に記憶されるプログラムを読み出して実行することで、主にＣＰＵに形成される。しかしながら、少なくとも一部の機能が図１に示されたハードウェア構成によって実現されてもよい。
【００４６】
図７を参照して、第２の実施の形態にかかる情報端末１は図２に示された指定部１０３および待ち受け記憶部１０４が含まれていないものの、第１の実施の形態にかかる情報端末１とほぼ同様の機能を有する。第２の実施の形態にかかる情報端末１において、記憶部４０は、アドレス帳４２と、ゼスチャー操作とアドレスとの対応関係を記憶しているゼスチャテーブル４３とを含む。
【００４７】
第２の実施の形態にかかる情報端末１において、設定部１０２は、入力部１０１で受け付けた操作信号がゼスチャー操作とアドレスとの関連付けを指示するものである場合にその指示に従ってアドレス帳４２から読み出した対象のアドレスと、入力されたゼスチャー操作との関連をゼスチャテーブル４３に記憶させる。
【００４８】
特定部１０５は、操作信号がファイルの送信を指示するものである場合、操作信号に基づいてゼスチャー操作を特定した上で、当該操作の対象とされたアイコンを特定することで送信対象であるファイルを特定すると共に、ゼスチャテーブル４３を参照し、特定されたゼスチャー操作に関連付けられたアドレスを送信先として特定する。
【００４９】
図８は、ゼスチャテーブル４３に記憶されている、ゼスチャー操作とアドレスとの対応関係の具体例を示す図である。図８を参照して、ゼスチャテーブル４３には、ゼスチャー操作の表わす操作のパターン（ゼスチャーパターン）ごとにアドレスが関連付けられており、記憶されている。なお、図８の例では、１つのゼスチャーパターンに対して１つのアドレスが関連付けられている例が示されているが、１つのゼスチャーパターンに対して複数のアドレスが関連付けられていてもよい。また、複数のゼスチャーパターンに対して同じアドレスが関連付けられていてもよい。
【００５０】
＜動作フロー＞
図９は、第２の実施の形態にかかる情報端末１におけるファイルの送信動作を表わすフローチャートである。図９のフローチャートに表わされる動作は、情報端末１の図示しないＣＰＵが記憶部４０に記憶されるプログラムを読み出して実行し、図７に示される各部を機能させることで実現される。
【００５１】
図９を参照して、ＣＰＵは、操作部３０からの操作信号よりゼスチャー操作が開始されたことを検知すると（ステップＳ３０１でＹＥＳ）、ステップＳ３０３で当該ゼスチャー操作の対象となっているアイコンを特定することで当該アイコンで表わされるファイルを送信対象のファイルとして特定する。
【００５２】
ステップＳ３０５でＣＰＵは、ステップＳ３０１で開始されたゼスチャー操作によってタッチパネル上に描かれる軌跡を、タッチが解消されるまで（ステップＳ３０７でＮＯ）、連続して記憶する。そして、タッチが解消されてゼスチャー操作が終了すると（ステップＳ３０７でＹＥＳ）、ステップＳ３０９でＣＰＵは一連のタッチの軌跡によってゼスチャーパターンを特定し、ステップＳ３１１でゼスチャテーブル４３を参照して当該ゼスチャーパターンと関連付けられているアドレスを読み出す。
【００５３】
ステップＳ３１３でＣＰＵはメール送信のためのプログラムを起動して、送信先としてステップＳ３１１で読み出されたアドレスを書き込む。そして、ステップＳ３１５で、上記ステップＳ３０３で送信対象として特定されたファイルを添付ファイルとして添付し、当該メールを送信する。
【００５４】
＜実施の形態の効果＞
第２の実施の形態にかかる情報端末１で以上の処理が実行されることで、ユーザは、送信したいファイルを表わすアイコンに対して、送信先に関連付けられているゼスチャー操作を行なうことで、そのアドレスをアドレス帳から読み出したり入力したりする操作を行なうことなく、容易な操作で意図した送信先に対して当該ファイルを送信することができる。
【００５５】
なお、第２の実施の形態にかかる情報端末１においても、第１の実施の形態と同様に、送信の際に、ゼスチャー操作によって特定されたアドレスを表示して送信の可否を確認するようにしてもよい。また、逆に、ゼスチャー操作を受け付けることで、確認画面を表示することなく特定されたファイルの送信まで完了するようにしてもよい。
【００５６】
＜変形例＞
以上の第２の実施の形態にかかる情報端末１では、ゼスチャー操作として１以上の点の連続的な移動で表わされるゼスチャーパターンによってアドレスが特定されている。アドレスとの関連付けはこのようなゼスチャーパターンのゼスチャー操作に限定されず、他のゼスチャーパターンのゼスチャー操作であっても同様である。他のゼスチャーパターンの例として、たとえば、タッチパネルに対して同時に複数点をタッチする、というゼスチャーパターンが挙げられる。
【００５７】
なお、この「同時」は、すべての点の最初にタッチされたタイミングが同時、という意味に限定されず、少なくともいずれかの時点で複数点がタッチされている状態であればよい。すなわち、１つずつ順にタッチされていき、最終的に複数点がタッチされている状態も、同時に複数点がタッチされた状態に該当するものとする。
【００５８】
この例の場合、ゼスチャテーブル４３には複数点のタッチの位置関係がゼスチャーパターンとして記憶され、その位置関係とアドレスとの対応関係が記憶されている。図１０は、変形例にかかるゼスチャーパターンの例を表わした図である。すなわち、図１０（Ａ）は、変形例にかかる第１のゼスチャーパターンの例として、同時にタッチされる４点の位置関係表わしている。また、図１０（Ｂ）は、変形例にかかる第２のゼスチャーパターンの例として、同時にタッチされる３点の位置関係表わしている。また、図１０（Ｃ）は、変形例にかかる第３のゼスチャーパターンの例として、同時にタッチされる５点の位置関係表わしている。このようなゼスチャーパターンは、いずれかの点を原点として他の点を座標値で表わす、などの相対的な位置として記憶されてもよい。
【００５９】
特定部１０５は、同時に複数点がタッチされるゼスチャー操作がなされた場合に、操作信号に基づいてそれぞれのタッチ位置を特定し、その相対的な位置関係と記憶されているゼスチャーパターンとを比較することでゼスチャーパターンを特定し、関連付けられているアドレスを特定する。
【００６０】
図１１は、第２の実施の形態の変形例にかかる情報端末１におけるファイルの送信動作を表わすフローチャートである。図１１のフローチャートに表わされる動作もまた、情報端末１の図示しないＣＰＵが記憶部４０に記憶されるプログラムを読み出して実行し、図７に示される各部を機能させることで実現される。
【００６１】
図１１を参照して、ＣＰＵは予め規定されている操作によって送信対象とするファイルの指定受け付けると（ステップＳ４０１でＹＥＳ）、ステップＳ４０３で当該ファイルを送信対象のファイルとして特定する。
【００６２】
その後、同時に複数点のタッチを受け付けると（ステップＳ４０７でＹＥＳ）、ステップＳ４０９でＣＰＵは、それらの位置関係を相対的に特定し、ゼスチャテーブル４３に記憶されているゼスチャーパターンと比較することで、ゼスチャーパターンを特定する。そして、ステップＳ４１１でＣＰＵは、ゼスチャテーブル４３を参照して特定されたゼスチャーパターンに関連付けられているアドレスを読み出す。
【００６３】
以降は上述の動作と同様に、ステップＳ４１３でＣＰＵはメール送信のためのプログラムを起動して、送信先としてステップＳ４１１で読み出されたアドレスを書き込む。そして、ステップＳ４１５で、上記ステップＳ４０３で送信対象として特定されたファイルを添付ファイルとして添付し、当該メールを送信する。
【００６４】
このような構成とすることでも、同様に、送信先に関連付けられているゼスチャー操作を行なうことで、そのアドレスをアドレス帳から読み出したり入力したりする操作を行なうことなく、容易な操作で意図した送信先に対してファイルを送信することができる。
【００６５】
さらに、情報端末１に上述の動作を実行させるためのプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６６】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００６７】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００６８】
提供されるプログラム製品は、ハードディスクなどのプログラム格納部にインストールされて実行される。なお、プログラム製品は、プログラム自体と、プログラムが記録された記録媒体とを含む。
【００６９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７０】
１  情報端末、１０  制御部、２０  表示部、３０  操作部、４０  記憶部、４１  待ち受けテーブル、４２  アドレス帳、４３  ゼスチャテーブル、５０  通信部、１０１  入力部、１０２  設定部、１０３  指定部、１０４  待ち受け記憶部、１０５  特定部、１０６  送信部。
【図１】
2012226509.tif 000003
【図２】
2012226509.tif 000004
【図３】
2012226509.tif 000005
【図４】
2012226509.tif 000006
【図５】
2012226509.tif 000007
【図６】
2012226509.tif 000008
【図７】
2012226509.tif 000009
【図８】
2012226509.tif 000010
【図９】
2012226509.tif 000011
【図１０】
2012226509.tif 000012
【図１１】
2012226509.tif 000013